(57)【特許請求の範囲】
【請求項１】
不同沈下した既存の建造物を水平レベルに修正する建造物における基礎構造の補強構造であって、昇降手段により建造物を上昇させて支持するとともに、沈下した基礎構造の下側を掘削して前記基礎構造など含む前記建造物の重量を解析し予め排出する量を設定した土を排除することによって穴部を形成し、この穴部に前記基礎構造など含む前記建造物の重量を解析し圧縮強度を決定した発泡樹脂盤を敷設して前記建造物における基礎構造を支持し、前記発泡樹脂盤と既存の基礎構造との間に、これら発泡樹脂盤と基礎構造とを一体化するコンクリートを充填するとともに、前記コンクリート内部に鉄筋を有し、
前記建造物、前記基礎コンクリート及び前記コンクリートの荷重を前記土の荷重とバランスさせることを特徴とする建造物における基礎構造の補強構造。
【請求項２】
不同沈下した既存の建造物を水平レベルに修正する建造物における基礎構造の補強工法であって、昇降手段により建造物を上昇させて支持した状態で該建造物の基礎構造の下側を掘削して前記基礎構造など含む前記建造物の重量を解析し予め排出する量を設定した土を排除することによって穴部を形成し、次いで土を排除して形成された基礎構造下部の穴部に、前記基礎構造など含む前記建造物の重量を解析し圧縮強度を決定した発泡樹脂盤を敷設した後、この発泡樹脂盤と既存の基礎構造との間に内部に鉄筋を有したコンクリートを充填して一体化し、前記建造物、前記基礎コンクリート及び前記コンクリートの荷重を前記土の荷重とバランスさせることを特徴とする建造物における基礎構造の補強工法。
【発明の詳細な説明】
【０００１】
【発明の属する技術分野】
本発明は、既存の建造物の地震、地盤沈下対策や不同沈下対策として施工することのできる建造物における基礎構造の補強構造及び補強工法に関する。
【０００２】
【発明が解決しようとする課題】
従来、住宅など既存の建造物が不同沈下を起こすと、一ヵ所に荷重が集中し、窓から雨が吹き込む、気密性が失われる、などのトラブルが生じ、特に、雨仕舞いが悪くなることで、躯体の腐食が進み、建造物の寿命が短くなるばかりでなく、耐震性能が著しく損なわれる。その対策として、建造物の地震又は交通の震動や地盤沈下に対する補強するために、建造物の基礎コンクリート量を増やしたり、基礎の鉄筋量を増やす等の方法や、杭を打って杭の支持力で建造物を支えるようにする方法、或いはセメント系の地盤改良材を用いて軟弱な地盤を改良する方法等が知られている。
【０００３】
しかしながら、これらの対策は、予め建造物を建築する前に地盤に対して行う場合には有効であるが、既存の建造物に対して施工することは工期の長期化を招くばかりでなく、工事期間中は、建造物に居住することが困難であり、一般的な住宅などの場合において、経済な負担は大きいものであった。
【０００４】
本発明は、このような課題を解決し、既存の建造物に後から不同沈下防止対策や地盤沈下防止対策を施すことができる建造物における基礎構造の補強構造及び補強工法を提供することを目的とする。
【０００５】
【課題を解決するための手段】
請求項１の発明の建造物における基礎構造の補強構造は、不同沈下した既存の建造物を水平レベルに修正する建造物における基礎構造の補強構造であって、昇降手段により建造物を上昇させて支持するとともに、沈下した基礎構造の下側を掘削して前記基礎構造など含む前記建造物の重量を解析し予め排出する量を設定した土を排除することによって穴部を形成し、この穴部に前記基礎構造など含む前記建造物の重量を解析し圧縮強度を決定した発泡樹脂盤を敷設して前記建造物における基礎構造を支持し、前記発泡樹脂盤と既存の基礎構造との間に、これら発泡樹脂盤と基礎構造とを一体化するコンクリートを充填するとともに、前記コンクリート内部に鉄筋を有し、
前記建造物、前記基礎コンクリート及び前記コンクリートの荷重を前記土の荷重とバランスさせることである。
【０００６】
請求項１の構成により、不同沈下した既存の建造物を水平レベルに修正することができるとともに、既設の建造物の耐震性と免震性が向上し、また既設の基礎構造の下側の土を発泡樹脂盤に置き換えることで軽量基礎構造となり、建造物の地盤沈下防止対策となる。また、既存の建造物を簡単に補強できるので工事期間が短時間で済み、経済的に安価であるという効果を有する。さらに、基礎構造と発泡樹脂盤とが一体され、既設の建造物の耐震性と免震性が向上する。
【０００７】
請求項２の発明の建造物における基礎構造の補強工法は、不同沈下した既存の建造物を水平レベルに修正する建造物における基礎構造の補強工法であって、昇降手段により建造物を上昇させて支持した状態で該建造物の基礎構造の下側を掘削して前記基礎構造など含む前記建造物の重量を解析し予め排出する量を設定した土を排除することによって穴部を形成し、次いで土を排除して形成された基礎構造下部の穴部に、前記基礎構造など含む前記建造物の重量を解析し圧縮強度を決定した発泡樹脂盤を敷設した後、この発泡樹脂盤と既存の基礎構造との間に内部に鉄筋を有したコンクリートを充填して一体化し、前記建造物、前記基礎コンクリート及び前記コンクリートの荷重を前記土の荷重とバランスさせるものである。
【０００８】
請求項２の構成により、不同沈下した既存の建造物を水平レベルに修正することができるとともに、既設の建造物の耐震性と免震性が向上し、また既設の基礎構造の下側の土を発泡樹脂盤に置き換えることで軽量基礎構造となり、建造物の地盤沈下防止対策となる。また、既存の建造物を簡単に補強できるので工事期間が短時間で済み、経済的に安価であるという効果を有する。
【０００９】
【発明の実施形態】
以下、本発明の一実施例を添付図面を参照して説明する。図１乃至図４に示すように、１は軟弱な地盤２などに建てた建造物であり、３は建造物１の基礎構造たる基礎コンクリートである。なお、本実施例では、建造物１として二階建ての一般住宅を示している。
【００１０】
４は補強を施す部分１ａの既存の基礎コンクリート３の下部を掘削排除することにより形成した穴部であり、こうして排除した土の変わりに、土より密度の小さい発泡樹脂盤５を敷設して建造物の地盤沈下応力を軽減することができ、該建造物の地盤沈下防止対策に極めて有効なものとなる。なお、発泡樹脂盤５と基礎コンクリート３とをコンクリート７で接合する。尚、図中ＧＬはグランドラインである。
【００１１】
本発明で用いる発泡樹脂盤５としては、軽量で、必要な圧縮強度を有するものであればよく、発泡スチロール、ポリスチレン、ポリプロピレン、ポリエチレン、ポリウレタン、ポリ塩化ビニル等の発泡体を用いる。また、発泡樹脂盤５と基礎コンクリート３を接合する前記コンクリート７は内部に鉄筋８を有している。
【００１２】
次に本発明の施工方法を、順を追って具体的に説明する。
【００１３】
まず、既設の建造物１の基礎コンクリート３を調査し、不同沈下により、建造物１の基礎コンクリート３が折れたり、傾いたり、歪んだりして耐震性能が低下した箇所１ａを探し出し、基礎コンクリート３など含む建造物１の重量を解析し、基礎コンクリート３の下部において排出する土の量及び箇所１ａに最適な発泡樹脂盤５の圧縮強度を決定する。
【００１４】
次に上記箇所１ａにおいて、建造物１を油圧ジャッキまたはエアジャッキなどの昇降装置６によって建造物１を支持した状態で基礎コンクリート３の地盤２を下部を掘削し、予め設定した土を排除する。これにより、基礎コンクリート３の下部に穴部４を形成する。こうして掘削した穴部４を締め固めた後、穴部４の上に発泡樹脂盤５を敷設する。そして、発泡樹脂盤５上にコンクリート型枠（図示せず）を形成するとともに、コンクリート型枠内において鉄筋８を組む。この後、発泡樹脂盤５と基礎コンクリート３との間のスペースにコンクリート７を流し込み、養生して硬化させることによって、建造物１の基礎コンクリート３と発泡樹脂盤５とを接合一体化し、その後ＧＬまで土を敷き固める。これにより、不同沈下した既存の建造物１を水平レベルに修正することができる。また、建造物１、基礎コンクリート３及びコンクリート７の荷重を、地盤２を掘削した排土砂の荷重とバランスさせることにより、地中応力の増加を少なくしたいわゆるフローティング基礎構造とすることができる。このように掘削によって排除する土砂の重量より密度の小さな発泡樹脂盤５を敷設することで沈下応力の増加を防ぎ、軟弱な地盤２であっても建造物１の沈下を抑制し安定した状態に保つことができ、建造物１の耐震性、耐地盤沈下性が飛躍的に向上する。さらに、既存の建造物１を簡単に補強できるので工事期間が短時間で済み、経済的に安価であるという効果を有する。
【００１５】
また、前記実施例では、既存の建造物１に対して説明したが、支持力の小さい地盤２において、建築後、不同沈下が起きる可能性のある場合、建築時に地盤改良として施すことができる。
【００１６】
以上、本発明の一実施例について詳述したが、本発明は前記実施例に限定されるものではなく、本発明の要旨の範囲内で種々の変形実施が可能である。例えば、図３において、不同沈下により、傾いた側の個所１ａ部分に発泡樹脂盤５を設けた例を示したが、図４に示すように、建造物１の両側個所１ａ及び１ｂにも発泡樹脂盤５を設けてもよい。また、建造物１は二階建てに限らず平家でも適用可能であることは勿論である。
【００１７】
【発明の効果】
請求項１の発明の建造物における基礎構造の補強構造によれば、不同沈下した既存の建造物を水平レベルに修正する建造物における基礎構造の補強構造であって、昇降手段により建造物を上昇させて支持するとともに、沈下した基礎構造の下側を掘削して前記基礎構造など含む前記建造物の重量を解析し予め排出する量を設定した土を排除することによって穴部を形成し、この穴部に前記基礎構造など含む前記建造物の重量を解析し圧縮強度を決定した発泡樹脂盤を敷設して前記建造物における基礎構造を支持し、前記発泡樹脂盤と既存の基礎構造との間に、これら発泡樹脂盤と基礎構造とを一体化するコンクリートを充填するとともに、前記コンクリート内部に鉄筋を有し、前記建造物、前記基礎コンクリート及び前記コンクリートの荷重を前記土の荷重とバランスさせることであるから、不同沈下した既存の建造物を水平レベルに修正することができるとともに、既存の建造物を簡単に補強できるので工事期間が短時間で済み、経済的に安価であるという効果を有する。また、基礎構造と発泡樹脂盤とが一体され、既設の建造物の耐震性と免震性が向上する。
【００１８】
請求項２の発明の基礎構造の補強工法によれば、不同沈下した既存の建造物を水平レベルに修正する建造物における基礎構造の補強工法であって、昇降手段により建造物を上昇させて支持した状態で該建造物の基礎構造の下側を掘削して前記基礎構造など含む前記建造物の重量を解析し予め排出する量を設定した土を排除することによって穴部を形成し、次いで土を排除して形成された基礎構造下部の穴部に、前記基礎構造など含む前記建造物の重量を解析し圧縮強度を決定した発泡樹脂盤を敷設した後、この発泡樹脂盤と既存の基礎構造との間に内部に鉄筋を有したコンクリートを充填して一体化し、前記建造物、前記基礎コンクリート及び前記コンクリートの荷重を前記土の荷重とバランスさせるものであるから、既設の建造物の耐震性と免震性が向上し、また既設の基礎構造の下側の土を発泡樹脂盤に置き換えることで軽量基礎構造となり、建造物の地盤沈下防止対策となる。また、既存の建造物を簡単に補強できるので工事期間が短時間で済み、経済的に安価であるという効果を有する。
【図面の簡単な説明】
【図１】本発明の一実施例を示す建造物の基礎部分を拡大した断面図である。
【図２】同上施工前の建造物全体を示す断面図である。
【図３】同上施工後の建造物全体を示す断面図である。
【図４】同上建造物の両側に発泡樹脂盤を設けた建造物全体を示す断面図である。
【符号の説明】
１  建造物
２  地盤
３  基礎コンクリート（基礎構造）
４  穴部
５  発泡樹脂盤
６  昇降装置
７  コンクリート
【図１】
0003804063.tif 000002
【図２】
0003804063.tif 000003
【図３】
0003804063.tif 000004
【図４】
0003804063.tif 000005